(57)【要約】【課題】使用しない端子にケーブルが誤って接続されることを防ぐことが可能な端子台を提供する。【解決手段】少なくとも１つの入力端子（第１および第２の入力端子３２，３４）および少なくとも１つの出力端子（第１および第２の出力端子３１，３３）を有する端子台本体２２を備える。端子台本体２２に揺動自在に取付けられた絶縁体からなる揺動部材２３を備える。揺動部材２３は、第１および第２の入力端子３２，３４と第１および第２の出力端子３１，３３とのうち、いずれか一方の端子に接続されるケーブル３９の配線経路を横切る遮蔽位置と、この配線経路が開放される開放位置との間で揺動する。【選択図】  図１
2019140052.tif 000002
【特許請求の範囲】
【請求項１】
少なくとも１つの入力端子および少なくとも１つの出力端子を有する端子台本体と、
前記端子台本体に揺動自在に取付けられた絶縁体からなる揺動部材とを備え、   
前記揺動部材は、
前記入力端子と前記出力端子とのうち、いずれか一方の端子に接続されるケーブルの配線経路を横切る遮蔽位置と、
前記配線経路が開放される開放位置との間で揺動することを特徴とする端子台。
【請求項２】
請求項１記載の端子台において、
前記入力端子と前記出力端子は、前記端子台本体に並べて設けられ、
前記揺動部材は、前記入力端子と前記出力端子とが並ぶ方向に延びる形状に形成されているとともに、前記遮蔽位置に位置付けられた状態において、前記入力端子と前記出力端子とのうちの前記一方の端子に接続されるケーブルの配線経路を遮る遮蔽板と、他方の端子に接続されたケーブルの配線経路の一部となる切欠きとを有していることを特徴とする端子台。
【請求項３】
請求項２記載の端子台において、
前記入力端子は、第１の入力端子と第２の入力端子とによって構成され、
前記出力端子は、前記第１の入力端子に導通された第１の出力端子と、前記第２の入力端子に導通された第２の出力端子とによって構成されていることを特徴とする端子台。
【請求項４】
請求項１ないし請求項３のうちいずれか一つに記載の端子台において、
前記揺動部材が前記遮蔽位置に位置している状態と、
前記揺動部材が前記開放位置に位置している状態とのうち、少なくともいずれか一方の状態で前記端子台本体に対する前記揺動部材の揺動を規制する係止構造を備えていることを特徴とする端子台。
【発明の詳細な説明】
【技術分野】
【０００１】
本発明は、端子に接続されるケーブルの配線経路を遮る部材を備えた端子台に関する。
【背景技術】
【０００２】
従来、複数の電子機器に給電するにあたっては、個々の電子機器に電源供給プラグを設けることはせずに、例えば特許文献１に記載されているような「渡り配線」という配線方式を採ることがある。この「渡り配線」によれば、各電子機器の電源部どうしがケーブルによって互いに接続される。
【０００３】
複数の電子機器どうしを接続する渡り配線は、例えば図１２に示すように行われる。図１２には第１〜第３の電子機器１〜３が図示されている。第１の電子機器１は、第１の端子台４を備え、第２の電子機器２は、第２の端子台５を備えている。第３の電子機器３は、第３の端子台６を備えている。
第１〜第３の端子台４〜６は、図１３に示すように、端子台本体７と、この端子台本体７に設けられた第１の入力端子８、第１の出力端子９、第２の入力端子１０、第２の出力端子１１などをそれぞれ備えている。
【０００４】
第１の入力端子８と第１の出力端子９とは、第１の導通部１２を介して互いに導通されている。第２の入力端子１０と第２の出力端子１１とは、第２の導通部１３を介して互いに導通されている。
図１２に示す３台の電子機器１〜３のうち、最も左に位置する第１の電子機器１は、第１の電源ケーブル１４を介して電源１５に接続されている。第１の電源ケーブル１４は、第１の端子台４の第１および第２の入力端子８，１０に接続されている。
【０００５】
この第１の端子台４の第１および第２の出力端子９，１１は、第２の電源ケーブル１６を介して第２の端子台５の第１および第２の入力端子８，１０に接続されている。このため、第２の電子機器２は、第２の電源ケーブル１６によって給電される。第２の端子台５の第１および第２の出力端子は９，１１、第３の電源ケーブル１７を介して第３の端子台６の第１および第２の入力端子８，１０に接続されている。このため、第３の電子機器３は、第３のケーブル１７によって給電される。
【先行技術文献】
【特許文献】
【０００６】
【特許文献１】特開２０００−３２９５８９号公報
【発明の概要】
【発明が解決しようとする課題】
【０００７】
渡り配線によって配線を行うにあたっては、ケーブルが全く接続されていない端子台に新たに電源ケーブルを接続するときに接続先を間違えるおそれがあった。例えば、図１４に示すように、第１〜第３の電源ケーブル１４，１６，１７が第１の入力端子８と、この第１の入力端子８に隣接する第１の出力端子９とに接続されることがある。このような場合は、第１〜第３の電源ケーブル１４，１６，１７がショート状態になり、電子機器が壊れるおそれがある。
【０００８】
本発明の目的は、使用しない端子にケーブルが誤って接続されることを防ぐことが可能な端子台を提供することである。
【課題を解決するための手段】
【０００９】
この目的を達成するために、本発明に係る端子台は、少なくとも１つの入力端子および少なくとも１つの出力端子を有する端子台本体と、前記端子台本体に揺動自在に取付けられた絶縁体からなる揺動部材とを備え、前記揺動部材は、前記入力端子と前記出力端子とのうち、いずれか一方の端子に接続されるケーブルの配線経路を横切る遮蔽位置と、前記配線経路が開放される開放位置との間で揺動するものである。
【００１０】
本発明は、前記端子台において、前記入力端子と前記出力端子は、前記端子台本体に並べて設けられ、前記揺動部材は、前記入力端子と前記出力端子とが並ぶ方向に延びる形状に形成されているとともに、前記遮蔽位置に位置付けられた状態において、前記入力端子と前記出力端子とのうちの前記一方の端子に接続されるケーブルの配線経路を遮る遮蔽板と、他方の端子に接続されたケーブルの配線経路の一部となる切欠きとを有していてもよい。
【００１１】
本発明は、前記端子台において、前記入力端子は、第１の入力端子と第２の入力端子とによって構成され、前記出力端子は、前記第１の入力端子に導通された第１の出力端子と、前記第２の入力端子に導通された第２の出力端子とによって構成されていてもよい。
【００１２】
本発明は、前記端子台において、前記揺動部材が前記遮蔽位置に位置している状態と、前記揺動部材が前記開放位置に位置している状態とのうち、少なくともいずれか一方の状態で前記端子台本体に対する前記揺動部材の揺動を規制する係止構造を備えていてもよい。
【発明の効果】
【００１３】
本発明によれば、揺動部材が遮蔽位置に位置付けられることにより、ケーブルの配線経路が遮断される。このため、使用しない端子の配線経路が遮られるように揺動部材を遮蔽位置に位置付けることにより、この端子にケーブルを接続することができなくなる。
したがって、本発明によれば、使用しない端子にケーブルが誤って接続されることを防ぐことが可能な端子台を提供することができる。
【図面の簡単な説明】
【００１４】
【図１】本発明に係る端子台の斜視図である。
【図２】本発明に係る端子台の斜視図である。
【図３】端子台本体の平面図である。
【図４】揺動部材が遮蔽位置に位置付けられた端子台の平面図である。
【図５】第１および第２の入力端子にケーブルを接続した状態の端子台の平面図である。
【図６】揺動部材が開放位置に位置付けられた端子台の平面図である。
【図７】第１および第２の出力端子にケーブルを接続した状態の端子台の平面図である。
【図８】係止構造の一部を示す側面図である。
【図９】係止構造の一部を示す断面図である。
【図１０】端子台の変形例を示す平面図である。
【図１１】端子台の変形例を示す平面図である。
【図１２】渡り配線を説明するための模式図である。
【図１３】従来の端子台の平面図である。
【図１４】従来の端子台の電源ケーブルが接続される過程を示す断面図である。
【発明を実施するための形態】
【００１５】
以下、本発明に係る端子台の一実施の形態を図１〜図９を参照して詳細に説明する。
図１に示す端子台２１は、例えば制御コントローラ（図示せず）などの電子機器に取付けられ、この電子機器への給電あるいは制御信号の送受信などを行うために用いるものである。この実施の形態においては、「渡り配線」という配線方式で給電用のケーブルを配線する端子台の一例を示す。
【００１６】
この端子台２１は、角柱状に形成された端子台本体２２と、この端子台本体２２の一側部に揺動自在に取付けられた揺動部材２３とを備えている。端子台本体２２および揺動部材２３は、それぞれ絶縁体によって形成されている。
端子台本体２２の一側面２２ａには、図２に示すように、第１〜第４のケーブル挿入穴２４〜２７の一端が開口している。これらの第１〜第４のケーブル挿入穴２４〜２７は、端子台本体２２の一側面２２ａから端子台本体２２の内部に延びている。
【００１７】
端子台本体２２の内部であって第１〜第４のケーブル挿入穴２４〜２７の他端と対応する部位には、４個の端子３１〜３４が設けられている。第１〜第４のケーブル挿入穴２４〜２７と、４個の端子３１〜３４は、図３に示すように、それぞれ端子台本体２２の長手方向（図３においては上下方向）に所定の間隔をおいて並んでいる。
【００１８】
４個の端子３１〜３４のうち、端子台本体２２の一端（図３において上端）に最も近接する端子３１は、図３に示すように、隣接する他の端子３２に第１の導通部３５を介して導通されている。また、端子台本体２２の他端に最も近接する端子３４は、隣接する他の端子３３に第２の導通部３６を介して導通されている。以下においては、図３において最も上に位置する端子３１を第１の出力端子３１といい、この第１の出力端子３１の下に位置する端子３２を第１の入力端子３２という。また、図３において、第１の入力端子３２の下に位置する端子３３を第２の出力端子３３といい、この第２の出力端子３３の下に位置する端子３４を第２の入力端子３４という。
【００１９】
すなわち、この実施の形態による端子台本体２２には、第１の入力端子３２と第２の入力端子３４とからなる入力端子３７と、第１の出力端子３１と第２の出力端子３３とからなる出力端子３８とが設けられている。これらの入力端子３７と出力端子３８は、互いに隣り合うように端子台本体２２に並べて設けられている。
上述した第１の導通部３５は、第１の入力端子３２と第１の出力端子３１とを導通している。第２の導通部３６は、第２の入力端子３４と第２の出力端子３３とを導通している。
【００２０】
これらの端子３１〜３４は、それぞれいわゆる差込形コネクタと同等の構造で、ケーブル３９（図１および図２参照）が挿入されることによりケーブル３９に電気的に接続されるとともに、ケーブル３９を外れることができないように保持する。ケーブル３９は、第１〜第４のケーブル挿入穴２４〜２７を通して端子３１〜３４に接続される。
第１のケーブル挿入穴２４には、第１の出力端子３１に接続されるケーブル３９が挿入される。第２のケーブル挿入穴２５には、第１の入力端子３２の接続されるケーブル３９が挿入される。
【００２１】
第３のケーブル挿入穴２６には、第２の出力端子３３に接続されるケーブル３９が挿入される。第４のケーブル挿入穴２７には、第２の入力端子３４に接続されるケーブル３９が挿入される。このため、第１〜第４のケーブル挿入穴２４〜２７は、それぞれ端子３１〜３４に接続されるケーブル３９の配線経路Ｌ１〜Ｌ４（図２参照）の一部になる。
【００２２】
揺動部材２３は、上述した端子３１〜３４が並ぶ方向に延びる板状であって、端子台本体２２の上述した一側面２２ａと同等の大きさの板状に形成されている。この揺動部材２３の長手方向の両端部は、端子台本体２２の長手方向に延びる２つの支軸４１，４１（図３参照）を介して端子台本体２２に揺動自在に連結されている。支軸４１は、揺動部材２３の長手方向の両端部であって、幅方向の一端部を支持している。
【００２３】
このため、揺動部材２３は、幅方向の一端部（図１においては左上側の端部）を中心にして端子台本体２２に対して揺動する。この揺動部材２３は、図１に示すように端子台本体２２と重なる遮蔽位置Ｐ１と、図２に示すように端子台本体２２の一側面２２ａに対して起立する開放位置Ｐ２との間で揺動する。この実施の形態による支軸４１は、端子台本体２２に立設され、揺動部材２３の両端部に設けられた支持板４２に回動自在に嵌合している。
【００２４】
この支持板４２の揺動端部には、図８に示すように、第１の爪４３が設けられている。この第１の爪４３は、揺動部材２３が開放位置Ｐ２に位置付けられた状態で端子台本体２２の第１の突起４４に係止される。第１の爪４３が第１の突起４４に係止されることにより、揺動部材２３が開放位置Ｐ２に保持される。第１の爪４３が第１の突起４４に係止された係止状態は、揺動部材２３が開放位置Ｐ２から遮蔽位置Ｐ１に向けて揺動し、第１の爪４３が第１の突起４４から外れることによって解消される。
【００２５】
この実施の形態による揺動部材２３の幅方向の他端側（揺動端側）は、３種類の機能部を有している。これらの機能部とは、図１に示すように、揺動部材２３の素材をそのまま用いて形成された第１および第２の遮蔽板４５，４６と、揺動部材２３の幅方向の他端が開放端となる第１および第２の切欠き４７，４８と、第２の爪４９（図８参照）である。  第１の遮蔽板４５と第２の遮蔽板４６は、図４に示すように、揺動部材２３が遮蔽位置Ｐ１に位置している状態において、第１のケーブル挿入穴２４と第３のケーブル挿入穴２６とを塞ぐ位置に形成されている。
【００２６】
揺動部材２３が遮蔽位置Ｐ１に位置している状態において、第１の遮蔽板４５は、第１の出力端子３１に接続されるケーブル３９の配線経路Ｌ１を遮り、第２の遮蔽板４６は、第２の出力端子３３に接続されるケーブル３９の配線経路Ｌ３を遮る。第１および第２の遮蔽板４５，４６は、図６に示すように揺動部材２３が開放位置Ｐ２に位置付けられることによって、配線経路Ｌ１，Ｌ３から外れる。
【００２７】
第１の切欠き４７と第２の切欠き４８は、図４に示すように、揺動部材２３が遮蔽位置Ｐ１に位置している状態において、第２のケーブル挿入穴２５と第４のケーブル挿入穴２７とがこれらの切欠き４７，４８を通して露出する位置に形成されている。揺動部材２３が遮蔽位置Ｐ１に位置している状態において、第１の切欠き４７は、第１の入力端子３２に接続されるケーブル３９の配線経路Ｌ２の一部となり、第２の切欠き４８は、第２の入力端子３４に接続されるケーブル３９の配線経路Ｌ４の一部となる。
【００２８】
すなわち、揺動部材２３は、遮蔽位置Ｐ１と開放位置Ｐ２とのいずれの位置においても、上述した配線経路Ｌ２，Ｌ４を遮ることはない。
このため、この実施の形態による揺動部材２３は、第１および第２の出力端子３１，３３に接続されるケーブル３９の配線経路Ｌ１，Ｌ３を横切る遮蔽位置Ｐ１と、これらの配線経路Ｌ１，Ｌ３が開放される開放位置Ｐ２との間で揺動する。
【００２９】
第２の爪４９は、図９に示すように、揺動部材２３の幅方向の他端（揺動端）に凸設されており、揺動部材２３が遮蔽位置Ｐ１に位置付けられた状態で端子台本体２２の第２の突起５０に係止される。第２の爪４９が第２の突起５０に係止されることにより、揺動部材２３が遮蔽位置Ｐ１に保持される。第２の爪４９が第２の突起５０に係止された係止状態は、揺動部材２３が遮蔽位置Ｐ１から開放位置Ｐ２に向けて揺動し、第２の爪４９が第２の突起５０から外れることによって解消される。
【００３０】
これらの第２の爪４９と第２の突起５０とからなる係止部５１は、上述した第１の爪４３と第１の突起４４とからなる係止部５２（図８参照）と協働して係止構造５３（図１参照）を構成するものである。この実施の形態においては、この係止構造５３が請求項４に記載した発明でいう「係止構造」に相当する。この係止構造５３は、揺動部材２３が遮蔽位置Ｐ１に位置している状態と、揺動部材２３が開放位置Ｐ２に位置している状態との両方の状態において、端子台本体２２に対する揺動部材２３の揺動を規制する。
【００３１】
次に、このように構成された端子台２１を使用して「渡り配線」の方式で給電用のケーブル３９を配線する場合の手順を図４〜図７を用いて説明する。
この端子台２１に最初にケーブル３９を接続する作業は、図４に示すように、揺動部材２３を遮蔽位置Ｐ１に位置付けた状態で行う。この状態においては、第１および第３のケーブル挿入穴２４，２６が第１および第２の遮蔽板４５，４６によって遮られている。このため、最初のケーブル３９を第１および第３のケーブル挿入穴２４，２６に挿入することはできない。
【００３２】
一方、第２および第４のケーブル挿入穴２５，２７は、第１および第２の切欠き４７，４８を通して露出している。このため、図５に示すように、最初のケーブル３９は、第１および第２の切欠き４７，４８を通して第２および第４のケーブル挿入穴２５，２７に挿入される。
第１の切欠き４７に挿入されたケーブル３９は、第２のケーブル挿入穴２５を通って第１の入力端子３２に接続される。第２の切欠き４８に挿入されたケーブル３９は、第４のケーブル挿入穴２７を通って第２の入力端子３４に接続される。このようにケーブル３９が配線されることにより、第１および第２の入力端子３２，３４を介して電子機器（図示せず）に電力が供給される。
【００３３】
このように２本のケーブル３９の配線が行われた後、「渡り配線」の方式でケーブル３９を配線するためは、先ず、揺動部材２３を遮蔽位置Ｐ１から揺動させて開放位置Ｐ２に位置付ける。このように揺動部材２３が揺動することにより、図６に示すように、第１および第３のケーブル挿入穴２４，２６が露出する。揺動部材２３が開放位置Ｐ２に位置付けられると、図８に示すように、第１の爪４３が第１の突起４４に係止され、揺動部材２３がその位置に保持される。
揺動部材２３が開放位置Ｐ２に保持されている状態において、図７に示すように、これらの第１および第３のケーブル挿入穴２４，２６に渡り配線用のケーブル３９を挿入する。第１のケーブル挿入穴２４に挿入されたケーブル３９は、第１の出力端子３１に接続される。
【００３４】
第３のケーブル挿入穴２６に挿入されたケーブル３９は、第２の出力端子３３に接続される。第１の出力端子３１は第１の入力端子３２に第１の導通部３５を介して導通され、第２の出力端子３３は第２の入力端子３４に第２の導通部３６を介して導通されているから、第１の出力端子３１に接続されたケーブル３９と第２の出力端子３３に接続されたケーブル３９にも電力が供給されるようになる。
【００３５】
この実施の形態による端子台２１においては、揺動部材２３が遮蔽位置Ｐ１に位置付けられることにより、第１および第２の出力端子３１，３３に接続されるケーブル３９の配線経路Ｌ１，Ｌ３が遮断される。このため、端子台２１に最初にケーブル３９を接続するときに使用しない端子（第１および第２の出力端子３１，３３）の配線経路が遮られから、これらの第１および第２の出力端子３１，３３にケーブル３９を接続することができなくなる。
したがって、この実施の形態によれば、使用しない端子にケーブルが誤って接続されることを防ぐことが可能な端子台を提供することができる。
【００３６】
この実施の形態による入力端子（第１および第２の入力端子３２，３４）と出力端子（第１および第２の出力端子３１，３３）は、互いに隣り合うように端子台本体２２に並べて設けられている。揺動部材２３は、これらの端子３１〜３４が並ぶ方向に延びる形状に形成されている。また、揺動部材２３は、遮蔽位置Ｐ１に位置付けられた状態において、一方の端子（第１および第２の出力端子３１，３３）に接続されるケーブル３９の配線経路Ｌ１，Ｌ３を遮る第１および第２の遮蔽板４５，４６と、他方の端子（第１および第２の入力端子３２，３４）に接続されたケーブル３９の配線経路Ｌ２，Ｌ４の一部となる第１および第２の切欠き４７，４８とを有している。
【００３７】
この実施の形態においては、揺動部材２３が遮蔽位置Ｐ１に位置付けられることにより、最初にケーブル３９を接続するときに使用しない端子（第１および第２の出力端子３１，３３）の配線経路Ｌ１，Ｌ３が第１および第２の遮蔽板４５，４６によって遮られ、使用可能な端子（第１および第２の入力端子３２，３４）の配線経路Ｌ２，Ｌ４が第１および第２の切欠き４７，４８を介して開放される。
【００３８】
使用可能な端子にケーブル３９を接続した後に揺動部材２３が開放位置Ｐ２に位置付けられることにより、第１および第２の遮蔽板４５，４６が出力端子（第１および第２の出力端子３１，３３）の配線経路Ｌ１，Ｌ３から外れる。このため、第１および第２の遮蔽板４５，４６によって遮られていた配線経路Ｌ１，Ｌ３が開放され、使用しない端子（第１および第２の出力端子３１，３３）にもケーブル３９を接続できるようになる。
したがって、この実施の形態によれば、複数の端子に優先順位をつけることができるから、接続順序を有するケーブルを接続する場合であっても誤接続を防ぐことができる。
【００３９】
この実施の形態による入力端子３７は、第１の入力端子３２と第２の入力端子３４とによって構成されている。出力端子３８は、第１の入力端子３２に導通された第１の出力端子３１と、第２の入力端子３４に導通された第２の出力端子３３とによって構成されている。
このため、この実施の形態に示したように、第１および第２の入力端子３２，３４に電源用のケーブル３９を接続し、その後、第１および第２の出力端子３１，３３に渡し配線となるケーブル３９を接続することができる。
したがって、この実施の形態によれば、ケーブルが全く接続されていない状態であっても、ケーブルの接続先を間違えることなく渡り配線によって配線を行うことが可能な端子台を提供することができる。
【００４０】
この実施の形態による端子台２１においては、揺動部材２３が遮蔽位置Ｐ１に位置している状態と、揺動部材２３が開放位置Ｐ２に位置している状態との両方で端子台本体２２に対する揺動部材２３の揺動を規制する係止構造５３を備えている。
この実施の形態において、揺動部材２３が遮蔽位置Ｐ１に位置している状態で端子台本体２２に対する揺動が係止構造（第２の爪４９と第２の突起５０）によって規制されることにより、使用しない端子（第１および第２の出力端子３１，３３）のケーブル３９の配線経路Ｌ１，Ｌ３が不必要に開放されることを防ぐことができるから、誤接続を防ぐうえで信頼性が高くなる。
【００４１】
また、揺動部材２３が開放位置Ｐ２に位置している状態で端子台本体２２に対する揺動部材２３の揺動が係止部５１（第１の爪４３と第１の突起４４）によって規制されることにより、全ての端子３１〜３４にケーブル３９が接続されている状態で揺動部材２３が端子台本体２２に対して不必要に揺動することを防ぐことができる。このため、揺動部材２３が例えば振動でケーブル３９や端子台本体２２に繰り返し接触して騒音が生じることを防ぐことができる。
【００４２】
（端子台の変形例）
上述した実施の形態に示した端子台２１は、４個の端子３１〜３４を備えたものである。しかし、本発明は、少なくとも１個の入力端子と、少なくとも１個の出力端子とを備えている端子台であれば、どのような端子台であっても適用可能である。すなわち、本発明は、例えば、図１０に示すように２個の端子６１，６２を備えた端子台６３や、図１１に示すように、６個の端子３１〜３４，６４，６５を備えた端子台６６にも適用可能である。図１０および図１１において、図１〜図９によって説明したものと同一もしくは同等の部材については、同一符号を付し詳細な説明を適宜省略する。
【００４３】
図１０に示す端子台６３は、１個の入力端子６１と、１個の出力端子６２とを備えている。図１０に示す端子台本体２２は、入力端子６１にケーブル（図示せず）を挿入するための第５のケーブル挿入穴７１と、出力端子６２にケーブル３９を挿入するための第６のケーブル挿入穴７２とが形成されている。
この端子台６３の揺動部材２３は、出力端子６２に接続されるケーブルの配線経路を遮る遮蔽板７３を備えている。
【００４４】
図１１に示す端子台６６は、第１および第２の入力端子３２，３４と第１および第２の出力端子３１，３３との他に、第３の出力端子６４と第４の出力端子６５とを備えている。第３の出力端子６４は、第３の導通部７４を介して第１の入力端子３２に導通され、第４の出力端子６５は、第４の導通部７５を介して第２の入力端子３４に接続されている。  図１１に示す端子台本体２２には、第３の出力端子６４にケーブル（図示せず）を挿入するための第７のケーブル挿入穴７６と、第４の出力端子６５にケーブルを挿入するための第８のケーブル挿入穴７７とが形成されている。
また、図１１に示す端子台６６は、第１および第２の遮蔽板４５，４６と第１および第２の切欠き４７，４８とを有する第１の揺動部材８１と、第３および第４の出力端子６４，６５に接続されるケーブルの配線経路を選択的に遮る第２の揺動部材８２とを備えている。
【００４５】
第１および第２の揺動部材８１，８２は、いずれも端子台本体２２と重なる遮蔽位置Ｐ１と、端子台本体２２に対して起立する開放位置Ｐ２との間で揺動自在である。第１の揺動部材８１と第２の揺動部材８２とは、長手方向の端部どうしが重なるように構成されている。詳述すると、第１および第２の揺動部材８１，８２がそれぞれ遮蔽位置Ｐ１に位置付けられた状態において、第１の揺動部材８１と端子台本体２２との間に第２の揺動部材８２が挟まれる。
【００４６】
図１１に示す端子台６６においては、第１の揺動部材８１が遮蔽位置Ｐ１から揺動して開放位置Ｐ２に位置付けられた状態（第１および第２の入力端子３２，３４と第１および第２の出力端子３１，３３にそれぞれケーブルが接続された状態）で、第２の揺動部材８２が遮蔽位置Ｐ１に保持されるようになる。このため、第３の出力端子６４と第４の出力端子６５とに最後にケーブルが接続されるようになる。したがって、図１１に示す構成を採ることにより、６個の端子を２個ずつ順番に接続することが可能になる。
【００４７】
上述した各実施の形態においては、電源用のケーブル３９を「渡り配線」の方式で配線するために用いる端子台２１，６３，６６の例を示した。しかし、本発明は、電源用のケーブル３９ではなく、信号用のケーブルを所定の接続順序に基づいて接続することが必要な端子台にも適用することができる。
【００４８】
上述した各実施の形態においては、揺動部材２３の第１および第２の切欠き４７，４８が第１および第２の入力端子３２，３４と対応する位置に設けられている例を示した。しかし、切欠き４７，４８は、第１および第２の出力端子３１，３３と対応する位置に設けられていてもよい。この場合の揺動部材２３は、入力端子３７（第１および第２の入力端子３２，３４）に接続されるケーブル３９の配線経路Ｌ２，Ｌ４を横切る遮蔽位置Ｐ１と、この配線経路が開放される開放位置Ｐ２との間で揺動することになる。
【００４９】
上述した実施の形態に示す係止構造５３は、揺動部材２３を遮蔽位置Ｐ１と開放位置Ｐ２との両方で保持する構成が採られている。しかし、この係止構造５３は、揺動部材２３を遮蔽位置Ｐ１でのみ保持する構成であったり、揺動部材２３を開放位置Ｐ２でのみ保持する構成でもよい。
また、上述した実施の形態においては、係止構造５３を、第１の爪４３および第１の突起４４からなる係止部５２と、第２の爪４９および第２の突起５０からなる係止部５１とによって構成する例を示した。しかし、本発明は、このような限定にとらわれることはない。係止構造５３の構成は適宜変更することができる。
【００５０】
図１〜図９および図１１に示す実施の形態においては、第１の出力端子３１と第１の入力端子３２とが互いに隣り合うように並び、第１の入力端子３２と第２の出力端子３３とが互いに隣り合うように並んでいる。また、第２の出力端子３３と第２の入力端子３４とが互いに隣り合うように並んでいる。しかし、これらの第１および第２の出力端子３１，３３と第１および第２の入力端子３２，３４の位置は、適宜変更することが可能である。これらの端子は、例えば、図３において上から順番に第１の入力端子３２、第２の入力端子３４、第１の出力端子３１、第２の出力端子３３という順序で並べることができる。
【符号の説明】
【００５１】
２１，６３，６６…端子台、２２…端子台本体、２３…揺動部材、３１…第１の出力端子、３２…第１の入力端子、３３…第２の出力端子、３４…第２の入力端子、３５…第１の導通部、３６…第２の導通部、３７…入力端子、３８…出力端子、３９…ケーブル、４３…第１の爪、４４…第１の突起、４５…第１の遮蔽板、４６…第２の遮蔽板、４７…第１の切欠き、４８…第２の切欠き、４９…第２の爪、５０…第２の突起、５３…係止構造、８１…第１の揺動部材、８２…第２の揺動部材、Ｐ１…遮蔽位置、Ｐ２…開放位置、Ｌ１〜Ｌ４…配線経路。
【図１】
2019140052.tif 000003
【図２】
2019140052.tif 000004
【図３】
2019140052.tif 000005
【図４】
2019140052.tif 000006
【図５】
2019140052.tif 000007
【図６】
2019140052.tif 000008
【図７】
2019140052.tif 000009
【図８】
2019140052.tif 000010
【図９】
2019140052.tif 000011
【図１０】
2019140052.tif 000012
【図１１】
2019140052.tif 000013
【図１２】
2019140052.tif 000014
【図１３】
2019140052.tif 000015
【図１４】
2019140052.tif 000016